(57)【要約】【課題】読取間隔と近い網点ドット間隔の原稿を読み取ると特定色への色付きが発生する。【解決手段】  光源と、読取部と、移動部と、制御部と、を備え、制御部は、第１点灯順序で照射させ、それぞれの光の反射光を読み取らせる第１ライン読取処理と、第２点灯順序で照射させ、それぞれの光の反射光を読み取らせる第２ライン読取処理と、第３点灯順序で照射させ、それぞれの光の反射光を読み取らせる第３ライン読取処理と、を順次繰り返し実行し、第１点灯順序と、第２点灯順序と、第３点灯順序とは、それぞれの点灯順序における同じ点灯順番において、異なる色の光を光源から照射させる順序である。 【選択図】図１０
2019129422.tif 000002
【特許請求の範囲】
【請求項１】
赤色、青色、及び緑色の各色の光を照射する光源と、
前記各色の光のうちのそれぞれ１色の光を前記光源から照射させ、その反射光を主走査方向に沿ったラインセンサで読み取る読取部と、
前記読取部と原稿との相対的な位置を主走査方向と直交する副走査方向において変化させる移動部と、
制御部と、を備え、
前記制御部は、
前記各色の光を第１点灯順序で前記光源から原稿の特定ラインである第１ラインへ照射させ、前記第１点灯順序で照射されたそれぞれの光の反射光を前記ラインセンサで読み取らせる第１ライン読取処理と、
前記各色の光を第２点灯順序で前記光源から前記第１ラインの副走査方向の下流に隣接する原稿の第２ラインへ照射させ、前記第２点灯順序で照射されたそれぞれの光の反射光を前記ラインセンサで読み取らせる第２ライン読取処理と、
前記各色の光を第３点灯順序で前記光源から前記第２ラインの副走査方向の下流に隣接する原稿の第３ラインへ照射させ、前記第３点灯順序で照射されたそれぞれの光の反射光を前記ラインセンサで読み取らせる第３ライン読取処理と、を順次繰り返し実行し、
前記第１点灯順序と、前記第２点灯順序と、前記第３点灯順序とは、それぞれの点灯順序における同じ点灯順番において、異なる色の光を前記光源から照射させる順序であることを特徴とする画像読取装置。
【請求項２】
前記第１ライン読取処理は、
前記第１ライン読取処理が開始されると、前記各色の光のうちの何れかの色の光である第１色の光を前記光源から照射させ、その反射光を前記ラインセンサで読み取らせる第１色読取処理と、
前記第１色読取処理が終了すると、前記各色の光から前記第１色の光を除いた２色の光のうちの何れかの色の光である第２色の光を前記光源から照射させ、その反射光を前記ラインセンサで読み取らせる第２色読取処理と、
前記第２色読取処理が終了すると、前記各色の光から前記第１色の光と前記第２色の光とを除いた残りの色の光である第３色の光を前記光源から照射させ、その反射光を前記ラインセンサで読み取らせる第３色読取処理とを含み、
前記第２ライン読取処理は、
前記第２ライン読取処理が開始されると、前記第２色の光を前記光源から照射させ、その反射光を前記ラインセンサで読み取らせる第４色読取処理と、
前記第４色読取処理が終了すると、前記第３色の光を前記光源から照射させ、その反射光を前記ラインセンサで読み取らせる第５色読取処理と、
前記第５色読取処理が終了すると、前記第１色の光を前記光源から照射させ、その反射光を前記ラインセンサで読み取らせる第６色読取処理とを含み、
前記第３ライン読取処理は、
前記第３ライン読取処理が開始されると、前記第３色の光を前記光源から照射させ、その反射光を前記ラインセンサで読み取らせる第７色読取処理と、
前記第７色読取処理が終了すると、前記第１色の光を前記光源から照射させ、その反射光を前記ラインセンサで読み取らせる第８色読取処理と、
前記第８色読取処理が終了すると、前記第２色の光を前記光源から照射させ、その反射光を前記ラインセンサで読み取らせる第９色読取処理とを含むことを特徴とする請求項１に記載の画像読取装置。
【請求項３】
前記第１ライン読取処理は、
前記第１ライン読取処理が開始されると、前記各色の光のうちの何れかの色の光である第１色の光を前記光源から照射させ、その反射光を前記ラインセンサで読み取らせる第１色読取処理と、
前記第１色読取処理が終了すると、前記各色の光から前記第１色の光を除いた２色の光のうちの何れかの色の光である第２色の光を前記光源から照射させ、その反射光を前記ラインセンサで読み取らせる第２色読取処理と、
前記第２色読取処理が終了すると、前記各色の光から前記第１色の光と前記第２色の光とを除いた残りの色の光である第３色の光を前記光源から照射させ、その反射光を前記ラインセンサで読み取らせる第３色読取処理とを含み、
前記第２ライン読取処理は、
前記第２ライン読取処理が開始されると、前記第３色の光を前記光源から照射させ、その反射光を前記ラインセンサで読み取らせる第１０色読取処理と、
前記第１０色読取処理が終了すると、前記第１色の光を前記光源から照射させ、その反射光を前記ラインセンサで読み取らせる第１１色読取処理と、
前記第１１色読取処理が終了すると、前記第２色の光を前記光源から照射させ、その反射光を前記ラインセンサで読み取らせる第１２色読取処理とを含み、
前記第３ライン読取処理は、
前記第３ライン読取処理が開始されると、前記第２色の光を前記光源から照射させ、その反射光を前記ラインセンサで読み取らせる第１３色読取処理と、
前記第１３色読取処理が終了すると、前記第３色の光を前記光源から照射させ、その反射光を前記ラインセンサで読み取らせる第１４色読取処理と、
前記第８色読取処理が終了すると、前記第１色の光を前記光源から照射させ、その反射光を前記ラインセンサで読み取らせる第１５色読取処理とを含むことを特徴とする請求項１に記載の画像読取装置。
【発明の詳細な説明】
【技術分野】
【０００１】
本発明は、画像読取装置に関する。
【背景技術】
【０００２】
赤色、緑色、および青色の光をそれぞれの発光順序で照射させて主走査方向に沿ったラインセンサからなる読取部を副走査方向に走査させて赤色、緑色、および青色の各色の走査ライン毎の原稿の画像を読み取る画像読取装置が知られている。
【０００３】
特許文献１に記載の画像読取装置は、モノクロや中間色のグラデーションを読み取った場合に、特定色への色付きの発生を防止するために、赤色、緑色、および青色の光をそれぞれ照射させる第１発光順序と、第１発光順序と逆順となる第２発光順序とで、交互に点灯させて原稿の画像を読み取っている。
【先行技術文献】
【特許文献】
【０００４】
【特許文献１】特開２０００−２６１６０５号公報
【発明の概要】
【発明が解決しようとする課題】
【０００５】
しかしながら、原稿の画像を形成している網点のドット間隔が、副走査方向の読取間隔と近くなると、特許文献１に記載の画像読取装置でも特定色への色付きが発生してしまう。即ち、例えば、第１発光順序が赤色、緑色、青色の順序であり、第２発光順序が青色、緑色、赤色の順序であり、第１発光順序の緑色を点灯している時点から第２発光順序の緑色を点灯している時点まで黒色の網点のドットが存在している原稿を読み取る場合に、画像読取装置は、第１発光順序で照射させたときに最初に赤色を点灯させた時点では、黒色のドットが存在せず、第２発光順序で照射させたときに最後に赤色を点灯させた時点では黒色のドットが存在しない。第１発光順序で照射させた走査ラインと、第２発光順序で照射させた走査ラインとについて、赤色を点灯させたときに黒色のドットが存在しないために、赤色の色付きが発生してしまう。
【０００６】
そこで、本発明は上述した事情に鑑みてなされ、特定色への色付きの発生を防止できる画像読取装置を提供することを目的とする。
【課題を解決するための手段】
【０００７】
上記目的を達成するために、請求項１に記載の発明態様では、画像読取装置は、赤色、青色、及び緑色の各色の光を照射する光源と、前記各色の光のうちのそれぞれ１色の光を前記光源から照射させ、その反射光を主走査方向に沿ったラインセンサで読み取る読取部と、前記読取部と原稿との相対的な位置を主走査方向と直交する副走査方向において変化させる移動部と、制御部と、を備え、前記制御部は、前記各色の光を第１点灯順序で前記光源から原稿の特定ラインである第１ラインへ照射させ、前記第１点灯順序で照射されたそれぞれの光の反射光を前記ラインセンサで読み取らせる第１ライン読取処理と、前記各色の光を第２点灯順序で前記光源から前記第１ラインの副走査方向の下流に隣接する原稿の第２ラインへ照射させ、前記第２点灯順序で照射されたそれぞれの光の反射光を前記ラインセンサで読み取らせる第２ライン読取処理と、前記各色の光を第３点灯順序で前記光源から前記第２ラインの副走査方向の下流に隣接する原稿の第３ラインへ照射させ、前記第３点灯順序で照射されたそれぞれの光の反射光を前記ラインセンサで読み取らせる第３ライン読取処理と、を順次繰り返し実行し、前記第１点灯順序と、前記第２点灯順序と、前記第３点灯順序とは、それぞれの点灯順序における同じ点灯順番において、異なる色の光を前記光源から照射させる順序である。
【０００８】
請求項２に記載の具体的態様では、前記第１ライン読取処理は、前記第１ライン読取処理が開始されると、前記各色の光のうちの何れかの色の光である第１色の光を前記光源から照射させ、その反射光を前記ラインセンサで読み取らせる第１色読取処理と、前記第１色読取処理が終了すると、前記各色の光から前記第１色の光を除いた２色の光のうちの何れかの色の光である第２色の光を前記光源から照射させ、その反射光を前記ラインセンサで読み取らせる第２色読取処理と、前記第２色読取処理が終了すると、前記各色の光から前記第１色の光と前記第２色の光とを除いた残りの色の光である第３色の光を前記光源から照射させ、その反射光を前記ラインセンサで読み取らせる第３色読取処理とを含み、前記第２ライン読取処理は、前記第２ライン読取処理が開始されると、前記第２色の光を前記光源から照射させ、その反射光を前記ラインセンサで読み取らせる第４色読取処理と、前記第４色読取処理が終了すると、前記第３色の光を前記光源から照射させ、その反射光を前記ラインセンサで読み取らせる第５色読取処理と、前記第５色読取処理が終了すると、前記第１色の光を前記光源から照射させ、その反射光を前記ラインセンサで読み取らせる第６色読取処理とを含み、前記第３ライン読取処理は、前記第３ライン読取処理が開始されると、前記第３色の光を前記光源から照射させ、その反射光を前記ラインセンサで読み取らせる第７色読取処理と、前記第７色読取処理が終了すると、前記第１色の光を前記光源から照射させ、その反射光を前記ラインセンサで読み取らせる第８色読取処理と、前記第８色読取処理が終了すると、前記第２色の光を前記光源から照射させ、その反射光を前記ラインセンサで読み取らせる第９色読取処理とを含む。
【０００９】
請求項３に記載の具体的態様では、前記第１ライン読取処理は、前記第１ライン読取処理が開始されると、前記各色の光のうちの何れかの色の光である第１色の光を前記光源から照射させ、その反射光を前記ラインセンサで読み取らせる第１色読取処理と、前記第１色読取処理が終了すると、前記各色の光から前記第１色の光を除いた２色の光のうちの何れかの色の光である第２色の光を前記光源から照射させ、その反射光を前記ラインセンサで読み取らせる第２色読取処理と、前記第２色読取処理が終了すると、前記各色の光から前記第１色の光と前記第２色の光とを除いた残りの色の光である第３色の光を前記光源から照射させ、その反射光を前記ラインセンサで読み取らせる第３色読取処理とを含み、前記第２ライン読取処理は、前記第２ライン読取処理が開始されると、前記第３色の光を前記光源から照射させ、その反射光を前記ラインセンサで読み取らせる第１０色読取処理と、前記第１０色読取処理が終了すると、前記第１色の光を前記光源から照射させ、その反射光を前記ラインセンサで読み取らせる第１１色読取処理と、前記第１１色読取処理が終了すると、前記第２色の光を前記光源から照射させ、その反射光を前記ラインセンサで読み取らせる第１２色読取処理とを含み、前記第３ライン読取処理は、前記第３ライン読取処理が開始されると、前記第２色の光を前記光源から照射させ、その反射光を前記ラインセンサで読み取らせる第１３色読取処理と、前記第１３色読取処理が終了すると、前記第３色の光を前記光源から照射させ、その反射光を前記ラインセンサで読み取らせる第１４色読取処理と、前記第８色読取処理が終了すると、前記第１色の光を前記光源から照射させ、その反射光を前記ラインセンサで読み取らせる第１５色読取処理とを含む。
【発明の効果】
【００１０】
請求項１に記載の発明態様では、第１ライン読取処理は、各色の光を第１点灯順序で光源から原稿の特定ラインである第1ラインへ照射させ、第1点灯順序で照射されたそれぞれの光の反射光をラインセンサで読み取らせる。第２ライン読取処理は、各色の光を第２点灯順序で光源から原稿の第２ラインへ照射させ、第２点灯順序で照射されたそれぞれの光の反射光をラインセンサで読み取らせる。第３ライン読取処理は、各色の光を第３点灯順序で光源から原稿の第３ラインへ照射させ、第３点灯順序で照射されたそれぞれの光の反射光をラインセンサで読み取らせる。第１点灯順序と、第２点灯順序と、第３点灯順序とは、それぞれの点灯順序における同じ点灯順番において、異なる色の光を照射させる順序である。よって、第１点灯順序と、第２点灯順序と、第３点灯順序とは、それぞれの点灯順序における同じ点灯順番において、異なる色の光を光源から照射させる順序であるため、原稿の網点のドット間隔と副走査方向の読取間隔とが近い原稿を読み取る場合でも、特定色への色付きの発生を防止することができる。
【００１１】
請求項２に記載の具体的態様では、第１ライン読取処理は、第１色の光を照射させ、その反射光をラインセンサで読み取らせる第１色読取処理と、第２色の光を照射させ、その反射光をラインセンサで読み取らせる第２色読取処理と、第３色の光を照射させ、その反射光をラインセンサで読み取らせる第３色読取処理とを含む。第２ライン読取処理は、第２色の光を照射させ、その反射光をラインセンサで読み取らせる第４色読取処理と、第３色の光を照射させ、その反射光をラインセンサで読み取らせる第５色読取処理と、第１色の光を照射させ、その反射光をラインセンサで読み取らせる第６色読取処理とを含む。第３ライン読取処理は、第３色の光を照射させ、その反射光をラインセンサで読み取らせる第７色読取処理と、第１色の光を照射させ、その反射光をラインセンサで読み取らせる第８色読取処理と、第２色の光を照射させ、その反射光をラインセンサで読み取らせる第９色読取処理とを含む。よって、第１ライン読取処理は、第１色の光を照射させて読み取らせる第１色読取処理と、第２色の光を照射させて読み取らせる第２色読取処理と、第３色の光を照射させて読み取らせる第３色読取処置とを含み、第２ライン読取処理は、第２色の光を照射させて読み取らせる第４色読取処理と、第３色の光を照射させて読み取らせる第５色読取処理と、第１色の光を照射させて読み取らせる第６色読取処置とを含み、第３ライン読取処理は、第３色の光を照射させて読み取らせる第７色読取処理と、第１色の光を照射させて読み取らせる第８色読取処理と、第２色の光を照射させて読み取らせる第９色読取処理とを含むため、原稿の網点のドット間隔と副走査方向の読取間隔とが近い原稿を読み取る場合でも、副走査方向の読取間隔と近い間隔で各色の光を読み取ることができ、特定色への色付きの発生を防止することができる。
【００１２】
請求項３に記載の具体的態様では、第１ライン読取処理は、第１色の光を照射させ、その反射光をラインセンサで読み取らせる第１色読取処理と、第２色の光を照射させ、その反射光をラインセンサで読み取らせる第２色読取処理と、第３色の光を照射させ、その反射光をラインセンサで読み取らせる第３色読取処理とを含む。第２ライン読取処理は、第３色の光を照射させ、その反射光をラインセンサで読み取らせる第１０色読取処理と、第１色の光を照射させ、その反射光をラインセンサで読み取らせる第１１色読取処理と、第２色の光を照射させ、その反射光をラインセンサで読み取らせる第１２色読取処理とを含む。第３ライン読取処理は、第２色の光を照射させ、その反射光をラインセンサで読み取らせる第１３色読取処理と、第３色の光を照射させ、その反射光をラインセンサで読み取らせる第１４色読取処理と、第１色の光を照射させ、その反射光をラインセンサで読み取らせる第１５色読取処理とを含む。よって、第１ライン読取処理は、第１色の光を照射させて読み取らせる第１色読取処理と、第２色の光を照射させて読み取らせる第２色読取処理と、第３色の光を照射させて読み取らせる第３色読取処置とを含み、第２ライン読取処理は、第３色の光を照射させて読み取らせる第１０色読取処理と、第１色の光を照射させて読み取らせる第１１色読取処理と、第２色の光を照射させて読み取らせる第１２色読取処置とを含み、第３ライン読取処理は、第２色の光を照射させて読み取らせる第１３色読取処理と、第３色の光を照射させて読み取らせる第１４色読取処理と、第１色の光を照射させて読み取らせる第１５色読取処理とを含むため、副走査方向の読取間隔と大きく異なる間隔で各色の光を読み取ることになり、原稿の網点のドット間隔と副走査方向の読取間隔とが近い原稿を読み取る場合でも、確実に特定色への色付きの発生を防止することができる。
【図面の簡単な説明】
【００１３】
【図１】画像読取装置１の内部構成を示す正面図である。
【図２】画像読取装置１の読取部２４の構成を拡大して示す図面である。
【図３】読取部２４の受光部３１の構成を示すブロック図である。
【図４】画像読取装置１の電気的構成を示すブロック図である。
【図５】読取メイン処理を示すフローチャートである。
【図６】ライン読取処理Ｒ３を示すフローチャートである。
【図７】第１ライン読取処理ＲＡ２を示すフローチャートである。
【図８】第１実施形態における第２ライン読取処理ＲＡ３を示すフローチャートである。
【図９】第１実施形態における第３ライン読取処理ＲＡ４を示すフローチャートである。
【図１０】第１実施形態における画像読取装置１が原稿ＧＳの１ライン目領域Ｌ１Ｒから７ライン目領域Ｌ７Ｒまでを読み取る過程を説明する図面である。
【図１１】第２実施形態における第２ライン読取処理ＲＡ３−１を示すフローチャートである。
【図１２】第２実施形態における第３ライン読取処理ＲＡ４−１を示すフローチャートである。
【図１３】第２実施形態における画像読取装置１が原稿ＧＳの１ライン目領域Ｌ１Ｒから７ライン目領域Ｌ７Ｒまでを読み取る過程を説明する図面である。
【発明を実施するための形態】
【００１４】
［第１実施形態］
以下に、本発明の第１実施形態に係る画像読取装置１について図面を参照して説明する。図１において、上下方向および前後方向は矢印により示される。搬送方向ＦＤは、図１および図２において、矢印により示される。主走査方向ＭＤは、図３において、矢印により示される。
【００１５】
＜画像読取装置１の機械的構成＞
図１において、画像読取装置１は、給紙トレイ２と、本体部３と、排紙トレイ４とを備える。操作部５、および表示部６が、本体部３の上面に配置される。操作部５は、電源スイッチ、および各種設定ボタンを含み、使用者からの操作指令等を受け付ける。例えば、操作部５は、読取動作の開始を指示する開始ボタンなどを含む。表示部６は、ＬＣＤを含み、画像読取装置１の状況を表示する。原稿ＧＳは、給紙トレイ２の支持面に載置される。
【００１６】
搬送経路２０が、本体部３の内部に形成される。給紙トレイ２に支持された原稿ＧＳは、搬送経路２０に沿って搬送方向ＦＤに搬送され、排紙トレイ４に排出される。給紙ローラ２１と、分離パッド２２と、一対の上流側搬送ローラ２３と、リアセンサ２９と、読取部２４と、プラテンガラス２５と、一対の下流側搬送ローラ２６とが、搬送経路２０に沿って配置される。
【００１７】
給紙ローラ２１は、分離パッド２２と協働して、複数枚の原稿ＧＳを、１枚ずつ給送する。給紙ローラ２１、上流側搬送ローラ２３、および下流側搬送ローラ２６は、搬送モータＭＴ（図４参照）により駆動される。リアセンサ２９は、上流側搬送ローラ２３と読取部２４との間に配置され、リアセンサ２９が配置された位置を原稿ＧＳが通過しているときにオンし、リアセンサ２９が配置された位置を原稿ＧＳが通過していないときにオフする。本実施形態では、リアセンサ２９は、読取部２４から搬送方向ＦＤの上流へ所定距離だけ離れた位置に配置される。プラテンガラス２５は、光透過性を有し、搬送経路２０の下側において搬送経路２０に沿って配置される。搬送ローラ２３、２６は、給紙ローラ２１から給送された原稿ＧＳがプラテンガラス２５の上を通過するように原稿ＧＳを搬送する。
【００１８】
本実施形態では、原稿ＧＳの読み取り面が給紙トレイ２の支持面に向くように原稿ＧＳが給紙トレイ２に支持される。読取部２４は、搬送経路２０の下側に配置され、プラテンガラス２５を通過する原稿ＧＳの読み取り面の画像を読み取る。フロントセンサ２７が、給紙トレイ２に配置され、給紙トレイ２に原稿ＧＳが支持されたときにオンし、給紙トレイ２に原稿ＧＳが支持されていないときにオフするように構成される。
【００１９】
（読取部２４の詳細な構成）
読取部２４の詳細な構成について図２および図３を参照して説明する。図２において、読取部２４は、光源３０と、受光部３１と、ロッドレンズアレイ３２とを備える。光源３０は、赤色、緑色、および青色の３色の発光ダイオードを含む。光源３０から出射された光が原稿ＧＳの読み取り面などにより反射されたときに、ロッドレンズアレイ３２は、反射光を受光部３１に結像する。本実施形態において、３色の発光ダイオードが順次点灯することにより１ラインの原稿ＧＳの画像が読み取られる。光源３０は、３色の発光ダイオードが備えられた１チップの発光ダイオードと、発光ダイオードからの光を主走査方向ＭＤに導光する導光体とを含む。
【００２０】
白色基準板３４が、読取部２４と搬送経路２０を介して対向する位置に、配置される。白色基準板３４は、原稿ＧＳの背景色である白色と同じ反射率を有する。搬送経路２０に原稿ＧＳが存在しない場合に、光源３０からの出射光は、白色基準板３４により反射され、その反射光はロッドレンズアレイ３２を介して受光部３１により受光される。
【００２１】
図３において、受光部３１は、主走査方向ＭＤに直線状に配列される１２個のセンサＩＣチップＣＨ１〜ＣＨ１２（以下、チップＣＨ１〜ＣＨ１２という）と、図示しないアナログシフトレジスタと、を有する。各チップＣＨ１〜ＣＨ１２は、主走査方向ＭＤに配列される多数の光電変換素子３３を含む。各光電変換素子３３の受光量が電荷として蓄積され、その電荷が各画素の電気信号としてアナログシフトレジスタに出力される。アナログシフトレジスタは、光電変換素子３３と同数の画素の電気信号を蓄積できる。各光電変換素子３３とアナログシフトレジスタの各レジスタとがそれぞれ接続されている。アナログシフトレジスタから出力された電気信号は図示しない増幅器を介してアナログ信号として出力される。先頭画素は、主走査方向ＭＤの最上流の位置にあるチップＣＨ１内のチップと隣接していない側の端部にある先頭素子で読み取られる画素であり、最終画素は、主走査方向ＭＤの最下流の位置にあるチップＣＨ１２内のチップと隣接していない側の端部にある最終素子で読み取られる画素である。１ラインは、この先頭画素から最終画素までの画素で構成される画素群である。
【００２２】
＜画像読取装置１の電気的構成＞
画像読取装置１の電気的構成について図４を参照して説明する。図４において、画像読取装置１は、ＣＰＵ４０、ＲＯＭ４１、ＲＡＭ４２、フラッシュＲＯＭ４３、デバイス制御部４４、アナログフロントエンド（以下、ＡＦＥという）４５、画像処理部４６、および駆動回路４７を主な構成要素として備える。これらの構成要素は、バス４８を介して、操作部５、表示部６、フロントセンサ２７、およびリアセンサ２９に接続される。
【００２３】
ＲＯＭ４１は、後述する読取メイン処理、読取メイン処理中のサブルーチンの処理など、画像読取装置１の各種動作を実行するためのプログラムを記憶する。ＣＰＵ４０は、ＲＯＭ４１から読み出されたプログラムに従って、各部の制御を行う。フラッシュＲＯＭ４３は、読み書き可能な不揮発性メモリであり、ＣＰＵ４０の制御処理により設定される各種のデータ、例えば初期化するときに使用する各データなどを記憶する。ＲＡＭ４２は、ＣＰＵ４０の制御処理により生成された算出結果などを一時的に記憶する。
【００２４】
デバイス制御部４４は、読取部２４に接続され、ＣＰＵ４０からの命令に基づいて、光源３０の点灯または消灯を制御する信号、および光源３０に流れる電流値を制御する信号を光源３０に送信する。また、デバイス制御部４４は、図３に示すように、ＣＰＵ４０からの命令に基づいて、受光部３１の各チップＣＨ１〜ＣＨ１２の多数の光電変換素子３３の電気信号を同時にアナログシフトレジスタの各レジスタに転送するためのシリアルイン信号ＳＩ、およびアナログシフトレジスタの電気信号を順番に1画素ずつ出力させるためのクロック信号ＣＬＫを受光部３１に送信する。読取部２４は、デバイス制御部４４からこれらの制御信号を受け取ると、光源３０を点灯させるとともに、受光部３１が受光した受光量に応じたアナログ信号をＡＦＥ４５に送信する。
【００２５】
ＡＦＥ４５は、読取部２４に接続され、ＣＰＵ４０からの命令に基づいて、読取部２４から送信されるアナログ信号をデジタルデータに変換する。ＡＦＥ４５は、予め定められた入力レンジおよび分解能を有する。例えば、分解能は、１０ビットであるならば「０」から「１０２３」までの階調である。この場合に、ＡＦＥ４５は、読取部２４から送信されたアナログ信号をデジタルデータとして１０ビット（０〜１０２３）の階調データに変換する。ＡＦＥ４５によって変換されたデジタルデータは、画像処理部４６に送信される。
【００２６】
画像処理部４６は、画像処理用の専用ＩＣであるＡＳＩＣから構成され、デジタルデータに各種の画像処理を施す。画像処理は、シェーディング補正やガンマ補正などの補正処理である。画像処理部４６は、画像処理をデジタルデータに施し、デジタル画像データを生成する。そのデジタル画像データは、バス４８を介してＲＡＭ４２に記憶される。
【００２７】
駆動回路４７は、搬送モータＭＴに接続され、ＣＰＵ４０から送信される駆動指令に基づいて搬送モータＭＴを駆動する。駆動回路４７は、駆動指令により指令された回転量および回転方向に従って搬送モータＭＴを回転させる。搬送モータＭＴが一定量だけ回転すると、給紙ローラ２１、および搬送ローラ２３、２６が一定角度回転し、搬送経路２０において原稿ＧＳが一定距離だけ搬送される。
【００２８】
＜第1実施形態の動作＞
次に、画像読取装置１の第1実施形態の動作について図面を参照して説明する。画像読取装置１は、原稿ＧＳを読み取る読取メイン処理を主に実行する。読取メイン処理中の処理Ｒ１〜処理Ｒ５、および各サブルーチンの処理は、ＣＰＵ４０が実行する処理である。
【００２９】
（読取メイン処理）
図５に示す読取メイン処理は、ユーザが原稿ＧＳを給紙トレイ２に載置し、操作部５の読取開始ボタンを押下することにより、開始される。即ち、ＣＰＵ４０は、フロントセンサ２７がオンであるときに、操作部５から読取開始指令を受け取ると、読取メイン処理を開始する。本実施形態では、読取メイン処理において、赤色、緑色、および青色を読み取るカラー読取動作が実行される。
【００３０】
ＣＰＵ４０は、デバイス制御部４４、ＡＦＥ４５、および画像処理部４６などを初期化する（Ｒ１）。具体的には、ＣＰＵ４０は、処理Ｒ３において、主走査方向ＭＤに３００ＤＰＩ、および搬送方向ＦＤに３００ＤＰＩの解像度でカラー読取動作を実行するために必要な設定値を、デバイス制御部４４、ＡＦＥ４５、および画像処理部４６に設定する。ＣＰＵ４０は、ラインカウント値ＬＣＶに「１」を設定する。
【００３１】
ＣＰＵ４０は、原稿ＧＳの搬送動作を開始する（Ｒ２）。具体的には、ＣＰＵ４０は、駆動回路４７に駆動指令の送信動作を開始し、原稿ＧＳの先端を読取開始位置まで搬送させる。読取開始位置は、搬送方向ＦＤにおけるリアセンサ２９の位置から下流へ所定距離離れた位置である。本実施形態では、原稿ＧＳの先端が読取開始位置まで搬送された後も、ＣＰＵ４０は、駆動回路４７に駆動指令の送信動作を継続する。
【００３２】
ＣＰＵ４０は、ライン読取処理を実行する（Ｒ３）。詳細は後述するため、ここでは概説する。ＣＰＵ４０は、ラインカウント値ＬＣＶに基づいて、第１ライン読取処理、第２ライン読取処理、または第３ライン読取処理を実行する。
【００３３】
ＣＰＵ４０は、リアセンサ２９がオフとなった時点から原稿ＧＳが所定距離搬送されたか否かを判断する（Ｒ４）。具体的には、ＣＰＵ４０は、リアセンサ２９がオフとなった時点から原稿ＧＳを所定距離搬送させる駆動指令を送信した場合（Ｒ４：Ｙｅｓ）に、リアセンサ２９がオフとなった時点から原稿ＧＳが所定距離搬送されたと判断し、処理Ｒ５に進む。ＣＰＵ４０は、リアセンサ２９がオフとなった時点から原稿ＧＳを所定距離搬送させる駆動指令を送信していない場合（Ｒ４：Ｎｏ）に、リアセンサ２９がオフとなった時点から原稿ＧＳが所定距離搬送されていないと判断し、処理Ｒ３に進む。本実施形態では、処理Ｒ３と処理Ｒ４とが繰り返し実行されることにより、カラー読取動作が実行される。ＣＰＵ４０は、処理Ｒ３と処理Ｒ４とを実行するときに、繰り返し駆動指令を送信し、処理Ｒ３と処理Ｒ４とが一回実行されると、３００ＤＰＩにおける読取間隔に相当する間隔だけ原稿ＧＳが搬送される。
【００３４】
ＣＰＵ４０は、原稿ＧＳの搬送動作を終了する（Ｒ５）。具体的には、ＣＰＵ４０は、駆動指令を送信し、原稿ＧＳを排紙トレイ４に排出させる。処理Ｒ５が終了すると、読取メイン処理が終了する。
【００３５】
（ライン読取処理Ｒ３）
図６に示すライン読取処理Ｒ３が開始されると、ＣＰＵ４０は、ラインカウント値ＬＣＶが「１」、「２」、および「３」のうちのいずれであるかを判断する（ＲＡ１）。ＣＰＵ４０は、ラインカウント値ＬＣＶが「１」である場合（ＲＡ１：「１」）に、処理ＲＡ２に進み、ラインカウント値ＬＣＶが「２」である場合（ＲＡ１：「２」）に、処理ＲＡ３に進み、ラインカウント値ＬＣＶが「３」である場合（ＲＡ１：「３」）に、処理ＲＡ４に進む。
【００３６】
処理ＲＡ１において「１」と判断されると、ＣＰＵ４０は、第１ライン読取処理を実行する（ＲＡ２）。詳細は後述するため、ここでは概説する。ＣＰＵ４０は、第１色読取処理、第２色読取処理、および第３色読取処理を順に実行する。ＣＰＵ４０は、処理ＲＡ２が終了すると、処理ＲＡ５に進む。
【００３７】
処理ＲＡ１において「２」と判断されると、ＣＰＵ４０は、第２ライン読取処理を実行する（ＲＡ３）。詳細は後述するため、ここでは概説する。ＣＰＵ４０は、第２色読取処理、第３色読取処理、および第１色読取処理を順に実行する。ＣＰＵ４０は、処理ＲＡ３が終了すると、処理ＲＡ５に進む。
【００３８】
処理ＲＡ１において「３」と判断されると、ＣＰＵ４０は、第３ライン読取処理を実行する（ＲＡ４）。詳細は後述するため、ここでは概説する。ＣＰＵ４０は、第３色読取処理、第１色読取処理、および第２色読取処理を順に実行する。ＣＰＵ４０は、処理ＲＡ４が終了すると、処理ＲＡ５に進む。
【００３９】
処理ＲＡ２、処理ＲＡ３、または処理ＲＡ４が終了すると、ＣＰＵ４０は、ラインカウント値ＬＣＶが「１」、または「２」である場合に、ラインカウント値ＬＣＶに「１」を加算し、ラインカウント値ＬＣＶが「３」である場合に、ラインカウント値ＬＣＶに「１」を設定する（ＲＡ５）。処理ＲＡ５が終了すると、ライン読取処理Ｒ３が終了する。
【００４０】
（第１ライン読取処理ＲＡ２）
図７に示す第１ライン読取処理ＲＡ２が開始されると、ＣＰＵ４０は、第１色読取処理を実行する（ＲＢ１）。具体的には、ＣＰＵ４０は、光源３０から赤色、緑色、および青色のうちの何れかの色である第１色の光を原稿ＧＳへ照射させ、その反射光を読み取ることにより第１色のデジタル画像データを取得する。本実施形態では、第１色の光は赤色の光である。
【００４１】
ＣＰＵ４０は、第２色読取処理を実行する（ＲＢ２）。具体的には、ＣＰＵ４０は、光源３０から赤色、緑色、および青色のうちから第１色を除いた残りの２色のうちの何れかの色である第２色の光を原稿ＧＳへ照射させ、その反射光を読み取ることにより第２色のデジタル画像データを取得する。本実施形態では、第２色の光は緑色の光である。
【００４２】
ＣＰＵ４０は、第３色読取処理を実行する（ＲＢ３）。具体的には、ＣＰＵ４０は、光源３０から赤色、緑色、および青色のうちから第１色と第２色とを除いた残りの色である第３色の光を原稿ＧＳへ照射させ、その反射光を読み取ることにより第３色のデジタル画像データを取得する。処理ＲＢ３が終了すると、処理ＲＡ２が終了する。本実施形態では、第３色の光は、青色の光である。処理ＲＢ１で取得した第１色のデジタル画像データと、処理ＲＢ２で取得した第２色のデジタル画像データと、処理ＲＢ３で取得した第３色のデジタル画像データとを組み合わせたデジタル画像データが、１ラインのデジタル画像データである。
【００４３】
（第２ライン読取処理ＲＡ３）
図８に示す第２ライン読取処理ＲＡ３が開始されると、ＣＰＵ４０は、第２色読取処理を実行する（ＲＣ１）。具体的には、ＣＰＵ４０は、光源３０から第２色の光を原稿ＧＳへ照射させ、その反射光を読み取ることにより第２色のデジタル画像データを取得する。本実施形態では、第２色の光は、同様に緑色の光である。
【００４４】
ＣＰＵ４０は、第３色読取処理を実行する（ＲＣ２）。具体的には、ＣＰＵ４０は、光源３０から第３色の光を原稿ＧＳへ照射させ、その反射光を読み取ることにより第３色のデジタル画像データを取得する。本実施形態では、第３色の光は、同様に青色の光である。
【００４５】
ＣＰＵ４０は、第１色読取処理を実行する（ＲＣ３）。具体的には、ＣＰＵ４０は、光源３０から第１色の光を原稿ＧＳへ照射させ、その反射光を読み取ることにより第１色のデジタル画像データを取得する。処理ＲＣ３が終了すると、処理ＲＡ３が終了する。本実施形態では、第１色の光は、同様に赤色の光である。処理ＲＣ１で取得した第２色のデジタル画像データと、処理ＲＣ２で取得した第３色のデジタル画像データと、処理ＲＣ３で取得した第１色のデジタル画像データとを組み合わせたデジタル画像データが、１ラインのデジタル画像データである。
【００４６】
（第３ライン読取処理ＲＡ４）
図９に示す第３ライン読取処理ＲＡ４が開始されると、ＣＰＵ４０は、第３色読取処理を実行する（ＲＤ１）。具体的には、ＣＰＵ４０は、光源３０から第３色の光を原稿ＧＳへ照射させ、その反射光を読み取ることにより第３色のデジタル画像データを取得する。本実施形態では、第３色の光は、同様に青色の光である。
【００４７】
ＣＰＵ４０は、第１色読取処理を実行する（ＲＤ２）。具体的には、ＣＰＵ４０は、光源３０から第１色の光を原稿ＧＳへ照射させ、その反射光を読み取ることにより第１色のデジタル画像データを取得する。本実施形態では、第１色の光は、同様に赤色の光である。
【００４８】
ＣＰＵ４０は、第２色読取処理を実行する（ＲＤ３）。具体的には、ＣＰＵ４０は、光源３０から第２色の光を原稿ＧＳへ照射させ、その反射光を読み取ることにより第２色のデジタル画像データを取得する。処理ＲＤ３が終了すると、処理ＲＡ４が終了する。本実施形態では、第２色の光は、同様に緑色の光である。処理ＲＤ１で取得した第３色のデジタル画像データと、処理ＲＤ２で取得した第１色のデジタル画像データと、処理ＲＤ３で取得した第２色のデジタル画像データとを組み合わせたデジタル画像データが、１ラインのデジタル画像データである。
【００４９】
（第１実施形態の具体例）
図１０を参照して、第１実施形態の画像読取装置１が、搬送方向ＦＤにおいて３００ＤＰＩにおける読取間隔に相当するドット間隔で白色と黒色とが配置された原稿ＧＳの画像を読み取る場合について説明する。本具体例では、主走査方向ＭＤにおける特定の画素を読み取る場合について説明する。本具体例における原稿ＧＳは、図１０に示すように、最初に実行される第１ライン読取処理ＲＡ２で読み取られる１ライン目領域Ｌ１Ｒのうち搬送方向ＦＤの上流側の３分の１の領域が白色であり、その白色の領域から搬送方向ＦＤの下流へ３００ＤＰＩにおける読取間隔に相当するドット間隔で白色画像と黒色画像とが交互に隣接して配置されている。
【００５０】
画像読取装置１は、最初に実行される第１ライン読取処理ＲＡ２において原稿ＧＳの１ライン目領域Ｌ１Ｒの画像を読み取る。画像読取装置１は、第１色読取処理ＲＢ１において原稿ＧＳの１ライン目領域Ｌ１Ｒの第１色読取位置Ｃ１Ｐの画像である白色画像を読み取る。画像読取装置１は、第２色読取処理ＲＢ２において原稿ＧＳの１ライン目領域Ｌ１Ｒの第２色読取位置Ｃ２Ｐの画像である黒色画像を読み取る。画像読取装置１は、第３色読取処理ＲＢ３において原稿ＧＳの１ライン目領域Ｌ１Ｒの第３色読取位置Ｃ３Ｐの画像である黒色画像を読み取る。よって、第１色のデジタル画像データである赤色のデジタル画像データは、白色画像により赤色の光が反射されるために大出力値となる。第２色のデジタル画像データである緑色のデジタル画像データは、黒色画像により緑色の光が吸収されるために小出力値となる。第３色のデジタル画像データである青色のデジタル画像データは、黒色画像により青色の光が吸収されるために小出力値となる。これらのデジタル画像データを組み合わせた１ライン目領域Ｌ１Ｒにおける１ラインのデジタル画像データは、赤色の出力値が大きく、緑色の出力値が小さく、青色の出力値が小さいデジタル画像データである赤色の１ラインのデジタル画像データとなる。
【００５１】
画像読取装置１は、最初に実行される第２ライン読取処理ＲＡ３において原稿ＧＳの２ライン目領域Ｌ２Ｒの画像を読み取る。画像読取装置１は、第２色読取処理ＲＣ１において原稿ＧＳの２ライン目領域Ｌ２Ｒの第２色読取位置Ｃ２Ｐの画像である黒色画像を読み取る。画像読取装置１は、第３色読取処理ＲＣ２において原稿ＧＳの２ライン目領域Ｌ２Ｒの第３色読取位置Ｃ３Ｐの画像である白色画像を読み取る。画像読取装置１は、第１色読取処理ＲＣ３において原稿ＧＳの２ライン目領域Ｌ２Ｒの第１色読取位置Ｃ１Ｐの画像である白色画像を読み取る。よって、第２色のデジタル画像データである緑色のデジタル画像データは、黒色画像により緑色の光が吸収されるために小出力値となる。第３色のデジタル画像データである青色のデジタル画像データは、白色画像により青色の光が反射されるために大出力値となる。第１色のデジタル画像データである赤色のデジタル画像データは、白色画像により赤色の光が反射されるために大出力値となる。これらのデジタル画像データを組み合わせた２ライン目領域Ｌ２Ｒにおける１ラインのデジタル画像データは、赤色の出力値が大きく、緑色の出力値が小さく、青色の出力値が大きいデジタル画像データであるマゼンダ色の１ラインのデジタル画像データとなる。
【００５２】
画像読取装置１は、最初に実行される第３ライン読取処理ＲＡ４において原稿ＧＳの３ライン目領域Ｌ３Ｒの画像を読み取る。画像読取装置１は、第３色読取処理ＲＤ１において原稿ＧＳの３ライン目領域Ｌ３Ｒの第３色読取位置Ｃ３Ｐの画像である白色画像を読み取る。画像読取装置１は、第１色読取処理ＲＤ２において原稿ＧＳの３ライン目領域Ｌ３Ｒの第１色読取位置Ｃ１Ｐの画像である黒色画像を読み取る。画像読取装置１は、第２色読取処理ＲＤ３において原稿ＧＳの３ライン目領域Ｌ３Ｒの第２色読取位置Ｃ２Ｐの画像である黒色画像を読み取る。よって、第３色のデジタル画像データである青色のデジタル画像データは、白色画像により青色の光が反射されるために大出力値となる。第１色のデジタル画像データである赤色のデジタル画像データは、黒色画像により赤色の光が吸収されるために小出力値となる。第２色のデジタル画像データである緑色のデジタル画像データは、黒色画像により緑色の光が吸収されるために小出力値となる。これらのデジタル画像データを組み合わせた３ライン目領域Ｌ３Ｒにおける１ラインのデジタル画像データは、赤色の出力値が小さく、緑色の出力値が小さく、青色の出力値が大きいデジタル画像データである青色の１ラインのデジタル画像データとなる。
【００５３】
画像読取装置１は、２回目に実行される第１ライン読取処理ＲＡ２において原稿ＧＳの４ライン目領域Ｌ４Ｒの画像を読み取る。画像読取装置１は、第１色読取処理ＲＢ１において原稿ＧＳの４ライン目領域Ｌ４Ｒの第１色読取位置Ｃ１Ｐの画像である黒色画像を読み取る。画像読取装置１は、第２色読取処理ＲＢ２において原稿ＧＳの４ライン目領域Ｌ４Ｒの第２色読取位置Ｃ２Ｐの画像である白色画像を読み取る。画像読取装置１は、第３色読取処理ＲＢ３において原稿ＧＳの４ライン目領域Ｌ４Ｒの第３色読取位置Ｃ３Ｐの画像である白色画像を読み取る。よって、第１色のデジタル画像データである赤色のデジタル画像データは、黒色画像により赤色の光が吸収されるために小出力値となる。第２色のデジタル画像データである緑色のデジタル画像データは、白色画像により緑色の光が反射されるために大出力値となる。第３色のデジタル画像データである青色のデジタル画像データは、白色画像により青色の光が反射されるために大出力値となる。これらのデジタル画像データを組み合わせた４ライン目領域Ｌ４Ｒにおける１ラインのデジタル画像データは、赤色の出力値が小さく、緑色の出力値が大きく、青色の出力値が大きいデジタル画像データであるシアン色の１ラインのデジタル画像データとなる。
【００５４】
画像読取装置１は、２回目に実行される第２ライン読取処理ＲＡ３において原稿ＧＳの５ライン目領域Ｌ５Ｒの画像を読み取る。画像読取装置１は、第２色読取処理ＲＣ１において原稿ＧＳの５ライン目領域Ｌ５Ｒの第２色読取位置Ｃ２Ｐの画像である白色画像を読み取る。画像読取装置１は、第３色読取処理ＲＣ２において原稿ＧＳの５ライン目領域Ｌ５Ｒの第３色読取位置Ｃ３Ｐの画像である黒色画像を読み取る。画像読取装置１は、第１色読取処理ＲＣ３において原稿ＧＳの５ライン目領域Ｌ５Ｒの第１色読取位置Ｃ１Ｐの画像である黒色画像を読み取る。よって、第２色のデジタル画像データである緑色のデジタル画像データは、白色画像により緑色の光が反射されるために大出力値となる。第３色のデジタル画像データである青色のデジタル画像データは、黒色画像により青色の光が吸収されるために小出力値となる。第１色のデジタル画像データである赤色のデジタル画像データは、黒色画像により赤色の光が吸収されるために小出力値となる。これらのデジタル画像データを組み合わせた５ライン目領域Ｌ５Ｒにおける１ラインのデジタル画像データは、赤色の出力値が小さく、緑色の出力値が大きく、青色の出力値が小さいデジタル画像データである緑色の１ラインのデジタル画像データとなる。
【００５５】
画像読取装置１は、２回目に実行される第３ライン読取処理ＲＡ４において原稿ＧＳの６ライン目領域Ｌ６Ｒの画像を読み取る。画像読取装置１は、第３色読取処理ＲＤ１において原稿ＧＳの６ライン目領域Ｌ６Ｒの第３色読取位置Ｃ３Ｐの画像である黒色画像を読み取る。画像読取装置１は、第１色読取処理ＲＤ２において原稿ＧＳの６ライン目領域Ｌ６Ｒの第１色読取位置Ｃ１Ｐの画像である白色画像を読み取る。画像読取装置１は、第２色読取処理ＲＤ３において原稿ＧＳの６ライン目領域Ｌ６Ｒの第２色読取位置Ｃ２Ｐの画像である白色画像を読み取る。よって、第３色のデジタル画像データである青色のデジタル画像データは、黒色画像により青色の光が吸収されるために小出力値となる。第１色のデジタル画像データである赤色のデジタル画像データは、白色画像により赤色の光が反射されるために大出力値となる。第２色のデジタル画像データである緑色のデジタル画像データは、白色画像により緑色の光が反射されるために大出力値となる。これらのデジタル画像データを組み合わせた６ライン目領域Ｌ６Ｒにおける１ラインのデジタル画像データは、赤色の出力値が大きく、緑色の出力値が大きく、青色の出力値が小さいデジタル画像データである黄色の１ラインのデジタル画像データとなる。
【００５６】
画像読取装置１は、３回目に実行される第１ライン読取処理ＲＡ２において原稿ＧＳの７ライン目領域Ｌ７Ｒの画像を読み取る。画像読取装置１は、第１色読取処理ＲＢ１において原稿ＧＳの７ライン目領域Ｌ７Ｒの第１色読取位置Ｃ１Ｐの画像である白色画像を読み取る。画像読取装置１は、第２色読取処理ＲＢ２において原稿ＧＳの７ライン目領域Ｌ７Ｒの第２色読取位置Ｃ２Ｐの画像である黒色画像を読み取る。画像読取装置１は、第３色読取処理ＲＢ３において原稿ＧＳの７ライン目領域Ｌ７Ｒの第３色読取位置Ｃ３Ｐの画像である黒色画像を読み取る。よって、第１色のデジタル画像データである赤色のデジタル画像データは、白色画像により赤色の光が反射されるために大出力値となる。第２色のデジタル画像データである緑色のデジタル画像データは、黒色画像により緑色の光が吸収されるために小出力値となる。第３色のデジタル画像データである青色のデジタル画像データは、黒色画像により青色の光が吸収されるために小出力値となる。これらのデジタル画像データを組み合わせた７ライン目領域Ｌ７Ｒにおける１ラインのデジタル画像データは、赤色の出力値が大きく、緑色の出力値が小さく、青色の出力値が小さいデジタル画像データである赤色の１ラインのデジタル画像データとなる。このように、７ライン目領域Ｌ７Ｒにおける１ラインのデジタル画像データと、１ライン目領域Ｌ１Ｒにおける１ラインのデジタル画像データとは、同じ第１ライン読取処理ＲＡ２を実行したときに同じ赤色のデジタル画像データとなるために、１ライン目領域Ｌ１Ｒから６ライン目領域Ｌ６Ｒまでの１ラインのデジタル画像データが、７ライン目領域Ｌ７Ｒ以降の領域において繰り返して出力される。
【００５７】
１ライン目領域Ｌ１Ｒにおける第１色読取位置Ｃ１Ｐと２ライン目領域Ｌ２Ｒにおける第１色読取位置Ｃ１Ｐとの間隔は、搬送方向ＦＤにおける読取解像度である３００ＤＰＩにおける読取間隔の「３分の５」倍の距離となっている。２ライン目領域Ｌ２Ｒにおける第１色読取位置Ｃ１Ｐと３ライン目領域Ｌ３Ｒにおける第１色読取位置Ｃ１Ｐとの間隔は、搬送方向ＦＤにおける読取解像度である３００ＤＰＩにおける読取間隔の「３分の２」倍の距離となっている。３ライン目領域Ｌ３Ｒにおける第１色読取位置Ｃ１Ｐと４ライン目領域Ｌ４Ｒにおける第１色読取位置Ｃ１Ｐとの間隔は、搬送方向ＦＤにおける読取解像度である３００ＤＰＩにおける読取間隔の「３分の２」倍の距離となっている。このように第１色読取位置Ｃ１Ｐの間隔は、常に搬送方向ＦＤにおける読取解像度である３００ＤＰＩにおける読取間隔と異なる間隔となっている。
【００５８】
１ライン目領域Ｌ１Ｒにおける第２色読取位置Ｃ２Ｐと２ライン目領域Ｌ２Ｒにおける第２色読取位置Ｃ２Ｐとの間隔は、搬送方向ＦＤにおける読取解像度である３００ＤＰＩにおける読取間隔の「３分の２」倍の距離となっている。２ライン目領域Ｌ２Ｒにおける第２色読取位置Ｃ２Ｐと３ライン目領域Ｌ３Ｒにおける第２色読取位置Ｃ２Ｐとの間隔は、搬送方向ＦＤにおける読取解像度である３００ＤＰＩにおける読取間隔の「３分の５」倍の距離となっている。３ライン目領域Ｌ３Ｒにおける第２色読取位置Ｃ２Ｐと４ライン目領域Ｌ４Ｒにおける第２色読取位置Ｃ２Ｐとの間隔は、搬送方向ＦＤにおける読取解像度である３００ＤＰＩにおける読取間隔の「３分の２」倍の距離となっている。このように第２色読取位置Ｃ２Ｐの間隔は、常に搬送方向ＦＤにおける読取解像度である３００ＤＰＩにおける読取間隔と異なる間隔となっている。
【００５９】
１ライン目領域Ｌ１Ｒにおける第３色読取位置Ｃ３Ｐと２ライン目領域Ｌ２Ｒにおける第３色読取位置Ｃ３Ｐとの間隔は、搬送方向ＦＤにおける読取解像度である３００ＤＰＩにおける読取間隔の「３分の２」倍の距離となっている。２ライン目領域Ｌ２Ｒにおける第３色読取位置Ｃ３Ｐと３ライン目領域Ｌ３Ｒにおける第３色読取位置Ｃ３Ｐとの間隔は、搬送方向ＦＤにおける読取解像度である３００ＤＰＩにおける読取間隔の「３分の２」倍の距離となっている。３ライン目領域Ｌ３Ｒにおける第３色読取位置Ｃ３Ｐと４ライン目領域Ｌ４Ｒにおける第３色読取位置Ｃ３Ｐとの間隔は、搬送方向ＦＤにおける読取解像度である３００ＤＰＩにおける読取間隔の「３分の５」倍の距離となっている。このように第３色読取位置Ｃ３Ｐの間隔は、常に搬送方向ＦＤにおける読取解像度である３００ＤＰＩにおける読取間隔と異なる間隔となっている。
【００６０】
第１色読取位置Ｃ１Ｐの間隔と、第２色読取位置Ｃ２Ｐの間隔と、第３色読取位置Ｃ３Ｐとの全ての間隔は、搬送方向ＦＤにおける読取解像度である３００ＤＰＩにおける読取間隔と異なる間隔となっている。上述したように、１ライン目領域Ｌ１Ｒから７ライン目領域Ｌ７Ｒまでのデジタル画像データの色は、赤色、マゼンダ色、青色、シアン色、緑色、黄色、および赤色と徐々に色相が変化する。即ち、１ライン目領域Ｌ１Ｒから７ライン目領域Ｌ７Ｒまでのデジタル画像データの色は、色相環上を一方向に徐々に回転して元の色に戻るように変化している。よって、搬送方向ＦＤにおける読取解像度である３００ＤＰＩにおける読取間隔と同じドット間隔で配置された網点原稿を読み取った場合でも、全ての色相の色が徐々に変化して読み取られるため、特定の色に偏って見えることなく読み取ることができる。
【００６１】
［第２実施形態］
本発明の第２実施形態について説明する。第２実施形態の機械的構成および電気的構成は、第１実施形態と同じ構成であるので、その説明を省略する。以下に、第２実施形態の動作についてのみ、説明する。
【００６２】
＜第２実施形態の動作＞
画像読取装置１の第２実施形態の動作について図面を参照して説明する。第１実施形態の動作と同様の部分の動作については説明を省略し、第１実施形態の動作と異なる部分の動作についてのみ説明する。第１実施形態の動作から第２実施形態の動作への変更点について、第１実施形態の第２ライン読取処理（ＲＡ３）の処理ＲＣ１〜処理ＲＣ３が第２実施形態の第２ライン読取処理（ＲＡ３−１）の処理ＲＥ１〜処理ＲＥ３に変更され、第１実施形態の第３ライン読取処理（ＲＡ４）の処理ＲＤ１〜処理ＲＤ３が第２実施形態の第３ライン読取処理（ＲＡ４−１）の処理ＲＦ１〜処理ＲＦ３に変更される。他の処理については、第１実施形態と同様の処理であるので、説明を省略する。
【００６３】
（第２ライン読取処理ＲＡ３−１）
図１１に示す第２ライン読取処理ＲＡ３−１が開始されると、ＣＰＵ４０は、第３色読取処理を実行する（ＲＥ１）。具体的には、ＣＰＵ４０は、光源３０から第３色の光を原稿ＧＳへ照射させ、その反射光を読み取ることにより第３色のデジタル画像データを取得する。本実施形態では、第３色の光は、第１実施形態と同様に青色の光である。
【００６４】
ＣＰＵ４０は、第１色読取処理を実行する（ＲＥ２）。具体的には、ＣＰＵ４０は、光源３０から第１色の光を原稿ＧＳへ照射させ、その反射光を読み取ることにより第１色のデジタル画像データを取得する。本実施形態では、第１色の光は、第１実施形態と同様に赤色の光である。
【００６５】
ＣＰＵ４０は、第２色読取処理を実行する（ＲＥ３）。具体的には、ＣＰＵ４０は、光源３０から第２色の光を原稿ＧＳへ照射させ、その反射光を読み取ることにより第２色のデジタル画像データを取得する。処理ＲＥ３が終了すると、処理ＲＡ３−１が終了する。本実施形態では、第２色の光は、第１実施形態と同様に緑色の光である。処理ＲＥ１で取得した第３色のデジタル画像データと、処理ＲＥ２で取得した第１色のデジタル画像データと、処理ＲＥ３で取得した第２色のデジタル画像データとを組み合わせたデジタル画像データが、１ラインのデジタル画像データである。
【００６６】
（第３ライン読取処理ＲＡ４−１）
図１２に示す第３ライン読取処理ＲＡ４−１が開始されると、ＣＰＵ４０は、第２色読取処理を実行する（ＲＦ１）。具体的には、ＣＰＵ４０は、光源３０から第２色の光を原稿ＧＳへ照射させ、その反射光を読み取ることにより第２色のデジタル画像データを取得する。本実施形態では、第２色の光は、同様に緑色の光である。
【００６７】
ＣＰＵ４０は、第３色読取処理を実行する（ＲＦ２）。具体的には、ＣＰＵ４０は、光源３０から第３色の光を原稿ＧＳへ照射させ、その反射光を読み取ることにより第３色のデジタル画像データを取得する。本実施形態では、第３色の光は、同様に青色の光である。
【００６８】
ＣＰＵ４０は、第１色読取処理を実行する（ＲＦ３）。具体的には、ＣＰＵ４０は、光源３０から第１色の光を原稿ＧＳへ照射させ、その反射光を読み取ることにより第１色のデジタル画像データを取得する。処理ＲＦ３が終了すると、処理ＲＡ４−１が終了する。本実施形態では、第１色の光は、同様に赤色の光である。処理ＲＦ１で取得した第２色のデジタル画像データと、処理ＲＦ２で取得した第３色のデジタル画像データと、処理ＲＦ３で取得した第１色のデジタル画像データとを組み合わせたデジタル画像データが、１ラインのデジタル画像データである。
【００６９】
（第２実施形態の具体例）
図１３を参照して、第２実施形態の画像読取装置１が、搬送方向ＦＤにおいて３００ＤＰＩにおける読取間隔に相当するドット間隔で白色と黒色とが配置された原稿ＧＳの画像を読み取る場合について説明する。本具体例では、主走査方向ＭＤにおける特定の画素を読み取る場合について説明する。本具体例における原稿ＧＳは、図１３に示すように、最初に実行される第１ライン読取処理ＲＡ２で読み取られる１ライン目領域Ｌ１Ｒのうち搬送方向ＦＤの上流側の３分の１の領域が白色であり、その白色の領域から搬送方向ＦＤの下流へ３００ＤＰＩにおける読取間隔に相当するドット間隔で白色画像と黒色画像とが交互に隣接して配置されている。
【００７０】
画像読取装置１は、最初に実行される第１ライン読取処理ＲＡ２において原稿ＧＳの１ライン目領域Ｌ１Ｒの画像を読み取る。画像読取装置１は、第１色読取処理ＲＢ１において原稿ＧＳの１ライン目領域Ｌ１Ｒの第１色読取位置Ｃ１Ｐの画像である白色画像を読み取る。画像読取装置１は、第２色読取処理ＲＢ２において原稿ＧＳの１ライン目領域Ｌ１Ｒの第２色読取位置Ｃ２Ｐの画像である黒色画像を読み取る。画像読取装置１は、第３色読取処理ＲＢ３において原稿ＧＳの１ライン目領域Ｌ１Ｒの第３色読取位置Ｃ３Ｐの画像である黒色画像を読み取る。よって、第１色のデジタル画像データである赤色のデジタル画像データは、白色画像により赤色の光が反射されるために大出力値となる。第２色のデジタル画像データである緑色のデジタル画像データは、黒色画像により緑色の光が吸収されるために小出力値となる。第３色のデジタル画像データである青色のデジタル画像データは、黒色画像により青色の光が吸収されるために小出力値となる。これらのデジタル画像データを組み合わせた１ライン目領域Ｌ１Ｒにおける１ラインのデジタル画像データは、赤色の出力値が大きく、緑色の出力値が小さく、青色の出力値が小さいデジタル画像データである赤色の１ラインのデジタル画像データとなる。
【００７１】
画像読取装置１は、最初に実行される第２ライン読取処理ＲＡ３−１において原稿ＧＳの２ライン目領域Ｌ２Ｒの画像を読み取る。画像読取装置１は、第３色読取処理ＲＥ１において原稿ＧＳの２ライン目領域Ｌ２Ｒの第３色読取位置Ｃ３Ｐの画像である黒色画像を読み取る。画像読取装置１は、第１色読取処理ＲＥ２において原稿ＧＳの２ライン目領域Ｌ２Ｒの第１色読取位置Ｃ１Ｐの画像である白色画像を読み取る。画像読取装置１は、第２色読取処理ＲＥ３において原稿ＧＳの２ライン目領域Ｌ２Ｒの第２色読取位置Ｃ２Ｐの画像である白色画像を読み取る。よって、第３色のデジタル画像データである青色のデジタル画像データは、黒色画像により青色の光が吸収されるために小出力値となる。第１色のデジタル画像データである赤色のデジタル画像データは、白色画像により赤色の光が反射されるために大出力値となる。第２色のデジタル画像データである緑色のデジタル画像データは、白色画像により緑色の光が反射されるために大出力値となる。これらのデジタル画像データを組み合わせた２ライン目領域Ｌ２Ｒにおける１ラインのデジタル画像データは、赤色の出力値が大きく、緑色の出力値が大きく、青色の出力値が小さいデジタル画像データである黄色の１ラインのデジタル画像データとなる。
【００７２】
画像読取装置１は、最初に実行される第３ライン読取処理ＲＡ４−１において原稿ＧＳの３ライン目領域Ｌ３Ｒの画像を読み取る。画像読取装置１は、第２色読取処理ＲＦ１において原稿ＧＳの３ライン目領域Ｌ３Ｒの第２色読取位置Ｃ２Ｐの画像である白色画像を読み取る。画像読取装置１は、第３色読取処理ＲＦ２において原稿ＧＳの３ライン目領域Ｌ３Ｒの第３色読取位置Ｃ３Ｐの画像である黒色画像を読み取る。画像読取装置１は、第１色読取処理ＲＦ３において原稿ＧＳの３ライン目領域Ｌ３Ｒの第１色読取位置Ｃ１Ｐの画像である黒色画像を読み取る。よって、第２色のデジタル画像データである緑色のデジタル画像データは、白色画像により緑色の光が反射されるために大出力値となる。第３色のデジタル画像データである青色のデジタル画像データは、黒色画像により青色の光が吸収されるために小出力値となる。第１色のデジタル画像データである赤色のデジタル画像データは、黒色画像により赤色の光が吸収されるために小出力値となる。これらのデジタル画像データを組み合わせた３ライン目領域Ｌ３Ｒにおける１ラインのデジタル画像データは、赤色の出力値が小さく、緑色の出力値が大きく、青色の出力値が小さいデジタル画像データである緑色の１ラインのデジタル画像データとなる。
【００７３】
画像読取装置１は、２回目に実行される第１ライン読取処理ＲＡ２において原稿ＧＳの４ライン目領域Ｌ４Ｒの画像を読み取る。画像読取装置１は、第１色読取処理ＲＢ１において原稿ＧＳの４ライン目領域Ｌ４Ｒの第１色読取位置Ｃ１Ｐの画像である黒色画像を読み取る。画像読取装置１は、第２色読取処理ＲＢ２において原稿ＧＳの４ライン目領域Ｌ４Ｒの第２色読取位置Ｃ２Ｐの画像である白色画像を読み取る。画像読取装置１は、第３色読取処理ＲＢ３において原稿ＧＳの４ライン目領域Ｌ４Ｒの第３色読取位置Ｃ３Ｐの画像である白色画像を読み取る。よって、第１色のデジタル画像データである赤色のデジタル画像データは、黒色画像により赤色の光が吸収されるために小出力値となる。第２色のデジタル画像データである緑色のデジタル画像データは、白色画像により緑色の光が反射されるために大出力値となる。第３色のデジタル画像データである青色のデジタル画像データは、白色画像により青色の光が反射されるために大出力値となる。これらのデジタル画像データを組み合わせた４ライン目領域Ｌ４Ｒにおける１ラインのデジタル画像データは、赤色の出力値が小さく、緑色の出力値が大きく、青色の出力値が大きいデジタル画像データであるシアン色の１ラインのデジタル画像データとなる。
【００７４】
画像読取装置１は、２回目に実行される第２ライン読取処理ＲＡ３−１において原稿ＧＳの５ライン目領域Ｌ５Ｒの画像を読み取る。画像読取装置１は、第３色読取処理ＲＥ１において原稿ＧＳの５ライン目領域Ｌ５Ｒの第３色読取位置Ｃ３Ｐの画像である白色画像を読み取る。画像読取装置１は、第１色読取処理ＲＥ２において原稿ＧＳの５ライン目領域Ｌ５Ｒの第１色読取位置Ｃ１Ｐの画像である黒色画像を読み取る。画像読取装置１は、第２色読取処理ＲＥ３において原稿ＧＳの５ライン目領域Ｌ５Ｒの第２色読取位置Ｃ２Ｐの画像である黒色画像を読み取る。よって、第３色のデジタル画像データである青色のデジタル画像データは、白色画像により青色の光が反射されるために大出力値となる。第１色のデジタル画像データである赤色のデジタル画像データは、黒色画像により赤色の光が吸収されるために小出力値となる。第２色のデジタル画像データである緑色のデジタル画像データは、黒色画像により緑色の光が吸収されるために小出力値となる。これらのデジタル画像データを組み合わせた５ライン目領域Ｌ５Ｒにおける１ラインのデジタル画像データは、赤色の出力値が小さく、緑色の出力値が小さく、青色の出力値が大きいデジタル画像データである青色の１ラインのデジタル画像データとなる。
【００７５】
画像読取装置１は、２回目に実行される第３ライン読取処理ＲＡ４−１において原稿ＧＳの６ライン目領域Ｌ６Ｒの画像を読み取る。画像読取装置１は、第２色読取処理ＲＦ１において原稿ＧＳの６ライン目領域Ｌ６Ｒの第２色読取位置Ｃ２Ｐの画像である黒色画像を読み取る。画像読取装置１は、第３色読取処理ＲＦ２において原稿ＧＳの６ライン目領域Ｌ６Ｒの第３色読取位置Ｃ３Ｐの画像である白色画像を読み取る。画像読取装置１は、第１色読取処理ＲＦ３において原稿ＧＳの６ライン目領域Ｌ６Ｒの第１色読取位置Ｃ１Ｐの画像である白色画像を読み取る。よって、第２色のデジタル画像データである緑色のデジタル画像データは、黒色画像により緑色の光が吸収されるために小出力値となる。第３色のデジタル画像データである青色のデジタル画像データは、白色画像により青色の光が反射されるために大出力値となる。第１色のデジタル画像データである赤色のデジタル画像データは、白色画像により赤色の光が反射されるために大出力値となる。これらのデジタル画像データを組み合わせた６ライン目領域Ｌ６Ｒにおける１ラインのデジタル画像データは、赤色の出力値が大きく、緑色の出力値が小さく、青色の出力値が大きいデジタル画像データであるマゼンダ色の１ラインのデジタル画像データとなる。
【００７６】
画像読取装置１は、３回目に実行される第１ライン読取処理ＲＡ２において原稿ＧＳの７ライン目領域Ｌ７Ｒの画像を読み取る。画像読取装置１は、第１色読取処理ＲＢ１において原稿ＧＳの７ライン目領域Ｌ７Ｒの第１色読取位置Ｃ１Ｐの画像である白色画像を読み取る。画像読取装置１は、第２色読取処理ＲＢ２において原稿ＧＳの７ライン目領域Ｌ７Ｒの第２色読取位置Ｃ２Ｐの画像である黒色画像を読み取る。画像読取装置１は、第３色読取処理ＲＢ３において原稿ＧＳの７ライン目領域Ｌ７Ｒの第３色読取位置Ｃ３Ｐの画像である黒色画像を読み取る。よって、第１色のデジタル画像データである赤色のデジタル画像データは、白色画像により赤色の光が反射されるために大出力値となる。第２色のデジタル画像データである緑色のデジタル画像データは、黒色画像により緑色の光が吸収されるために小出力値となる。第３色のデジタル画像データである青色のデジタル画像データは、黒色画像により青色の光が吸収されるために小出力値となる。これらのデジタル画像データを組み合わせた７ライン目領域Ｌ７Ｒにおける１ラインのデジタル画像データは、赤色の出力値が大きく、緑色の出力値が小さく、青色の出力値が小さいデジタル画像データである赤色の１ラインのデジタル画像データとなる。このように、７ライン目領域Ｌ７Ｒにおける１ラインのデジタル画像データと、１ライン目領域Ｌ１Ｒにおける１ラインのデジタル画像データとは、同じ第１ライン読取処理ＲＡ２を実行したときに同じ赤色のデジタル画像データとなるために、１ライン目領域Ｌ１Ｒから６ライン目領域Ｌ６Ｒまでの１ラインのデジタル画像データが、７ライン目領域Ｌ７Ｒ以降の領域において繰り返して出力される。
【００７７】
１ライン目領域Ｌ１Ｒにおける第１色読取位置Ｃ１Ｐと２ライン目領域Ｌ２Ｒにおける第１色読取位置Ｃ１Ｐとの間隔は、搬送方向ＦＤにおける読取解像度である３００ＤＰＩにおける読取間隔の「３分の４」倍の距離となっている。２ライン目領域Ｌ２Ｒにおける第１色読取位置Ｃ１Ｐと３ライン目領域Ｌ３Ｒにおける第１色読取位置Ｃ１Ｐとの間隔は、搬送方向ＦＤにおける読取解像度である３００ＤＰＩにおける読取間隔の「３分の４」倍の距離となっている。３ライン目領域Ｌ３Ｒにおける第１色読取位置Ｃ１Ｐと４ライン目領域Ｌ４Ｒにおける第１色読取位置Ｃ１Ｐとの間隔は、搬送方向ＦＤにおける読取解像度である３００ＤＰＩにおける読取間隔の「３分の１」倍の距離となっている。このように第１色読取位置Ｃ１Ｐの間隔は、常に搬送方向ＦＤにおける読取解像度である３００ＤＰＩにおける読取間隔と異なる間隔となっている。
【００７８】
１ライン目領域Ｌ１Ｒにおける第２色読取位置Ｃ２Ｐと２ライン目領域Ｌ２Ｒにおける第２色読取位置Ｃ２Ｐとの間隔は、搬送方向ＦＤにおける読取解像度である３００ＤＰＩにおける読取間隔の「３分の４」倍の距離となっている。２ライン目領域Ｌ２Ｒにおける第２色読取位置Ｃ２Ｐと３ライン目領域Ｌ３Ｒにおける第２色読取位置Ｃ２Ｐとの間隔は、搬送方向ＦＤにおける読取解像度である３００ＤＰＩにおける読取間隔の「３分の１」倍の距離となっている。３ライン目領域Ｌ３Ｒにおける第２色読取位置Ｃ２Ｐと４ライン目領域Ｌ４Ｒにおける第２色読取位置Ｃ２Ｐとの間隔は、搬送方向ＦＤにおける読取解像度である３００ＤＰＩにおける読取間隔の「３分の４」倍の距離となっている。このように第２色読取位置Ｃ２Ｐの間隔は、常に搬送方向ＦＤにおける読取解像度である３００ＤＰＩにおける読取間隔と異なる間隔となっている。
【００７９】
１ライン目領域Ｌ１Ｒにおける第３色読取位置Ｃ３Ｐと２ライン目領域Ｌ２Ｒにおける第３色読取位置Ｃ３Ｐとの間隔は、搬送方向ＦＤにおける読取解像度である３００ＤＰＩにおける読取間隔の「３分の１」倍の距離となっている。２ライン目領域Ｌ２Ｒにおける第３色読取位置Ｃ３Ｐと３ライン目領域Ｌ３Ｒにおける第３色読取位置Ｃ３Ｐとの間隔は、搬送方向ＦＤにおける読取解像度である３００ＤＰＩにおける読取間隔の「３分の４」倍の距離となっている。３ライン目領域Ｌ３Ｒにおける第３色読取位置Ｃ３Ｐと４ライン目領域Ｌ４Ｒにおける第４色読取位置Ｃ４Ｐとの間隔は、搬送方向ＦＤにおける読取解像度である３００ＤＰＩにおける読取間隔の「３分の４」倍の距離となっている。このように第３色読取位置Ｃ３Ｐの間隔は、常に搬送方向ＦＤにおける読取解像度である３００ＤＰＩにおける読取間隔と異なる間隔となっている。
【００８０】
第１色読取位置Ｃ１Ｐの間隔と、第２色読取位置Ｃ２Ｐの間隔と、第３色読取位置Ｃ３Ｐとの全ての間隔は、搬送方向ＦＤにおける読取解像度である３００ＤＰＩにおける読取間隔と異なる間隔となっている。上述したように、１ライン目領域Ｌ１Ｒから７ライン目領域Ｌ７Ｒまでのデジタル画像データの色は、赤色、黄色、緑色、シアン色、青色、マゼンダ色、および赤色と徐々に色相が変化する。即ち、１ライン目領域Ｌ１Ｒから７ライン目領域Ｌ７Ｒまでのデジタル画像データの色は、色相環上を一方向に徐々に回転して元の色に戻るように変化している。よって、搬送方向ＦＤにおける読取解像度である３００ＤＰＩにおける読取間隔と同じドット間隔で配置された網点原稿を読み取った場合でも、全ての色相の色が徐々に変化して読み取られるため、特定の色に偏って見えることなく読み取ることができる。
【００８１】
＜実施形態の効果＞
第１実施形態では、ライン読取処理Ｒ３は、ラインカウント値ＬＣＶが「１」である場合に、第１ライン読取処理ＲＡ２を実行させ、ラインカウント値ＬＣＶが「２」である場合に、第２ライン読取処理ＲＡ３を実行させ、ラインカウント値ＬＣＶが「３」である場合に、第３ライン読取処理ＲＡ３を実行させる。ライン読取処理Ｒ３は、処理ＲＡ２、または処理ＲＡ３が終了すると、ラインカウント値ＬＣＶに「１」を加算し、処理ＲＡ３が終了すると、ラインカウント値ＬＣＶに「１」を設定する。第１ライン読取処理ＲＡ２は、第１色読取処理ＲＢ１を実行させ、第２色読取処理ＲＢ２を実行させ、第３色読取処理ＲＢ３を実行させる。第２ライン読取処理ＲＡ３は、第２色読取処理ＲＣ１を実行させ、第３色読取処理ＲＣ２を実行させ、第１色読取処理ＲＣ３を実行させる。第３ライン読取処理ＲＡ４は、第３色読取処理ＲＤ１を実行させ、第１色読取処理ＲＤ２を実行させ、第２色読取処理ＲＤ３を実行させる。よって、第１ライン読取処理ＲＡ２は、第１色読取処理ＲＢ１を実行させ、第２色読取処理ＲＢ２を実行させ、第３色読取処理ＲＢ３を実行させ、第２ライン読取処理ＲＡ３は、第２色読取処理ＲＣ１を実行させ、第３色読取処理ＲＣ２を実行させ、第１色読取処理ＲＣ３を実行させ、第３ライン読取処理ＲＡ４は、第３色読取処理ＲＤ１を実行させ、第１色読取処理ＲＤ２を実行させ、第２色読取処理ＲＤ３を実行させるため、原稿の網点のドット間隔と搬送方向ＦＤにおける読取間隔とが特定色への色付きが発生する程度に近い原稿を読み取る場合でも、特定色への色付きの発生を防止することができる。
【００８２】
第２実施形態では、第１ライン読取処理ＲＡ２は、第１色読取処理ＲＢ１を実行させ、第２色読取処理ＲＢ２を実行させ、第３色読取処理ＲＢ３を実行させる。第２ライン読取処理ＲＡ３−１は、第３色読取処理ＲＥ１を実行させ、第１色読取処理ＲＥ２を実行させ、第２色読取処理ＲＥ３を実行させる。第３ライン読取処理ＲＡ４−１は、第２色読取処理ＲＦ１を実行させ、第３色読取処理ＲＦ２を実行させ、第１色読取処理ＲＦ３を実行させる。よって、第１ライン読取処理ＲＡ２は、第１色読取処理ＲＢ１を実行させ、第２色読取処理ＲＢ２を実行させ、第３色読取処理ＲＢ３を実行させ、第２ライン読取処理ＲＡ３−１は、第３色読取処理ＲＥ１を実行させ、第１色読取処理ＲＥ２を実行させ、第２色読取処理ＲＥ３を実行させ、第３ライン読取処理ＲＡ４−１は、第２色読取処理ＲＦ１を実行させ、第３色読取処理ＲＦ２を実行させ、第１色読取処理ＲＦ３を実行させるため、原稿の網点のドット間隔と搬送方向ＦＤにおける読取間隔とが特定色への色付きが発生する程度に近い原稿を読み取る場合でも特定色への色付きの発生を防止することができる。
【００８３】
［実施形態と発明との対応関係］
画像読取装置１が、本発明の画像読取装置の一例である。給紙ローラ２１、搬送ローラ２３，２６、駆動回路４７、および駆動モータＭＴが、本発明の移動部の一例である。受光部３１、ＡＦＥ４５、および画像処理部４６が、本発明の読取部の一例である。光源３０が、本発明の光源の一例である。ＣＰＵ４０が、本発明の制御部の一例である。
【００８４】
処理ＲＡ２が、本発明の第１ライン読取処理の一例である。処理ＲＡ３、または処理ＲＡ３−１が、本発明の第２ライン読取処理の一例である。処理ＲＡ４、または処理ＲＡ４−１が、本発明の第３ライン読取処理の一例である。処理ＲＢ１が、本発明の第１色読取処理の一例である。処理ＲＢ２が、本発明の第２色読取処理の一例である。処理ＲＢ３が、本発明の第３色読取処理の一例である。処理ＲＣ１が、本発明の第４色読取処理の一例である。処理ＲＣ２が、本発明の第５色読取処理の一例である。処理ＲＣ３が、本発明の第６色読取処理の一例である。処理ＲＤ１が、本発明の第７色読取処理の一例である。処理ＲＤ２が、本発明の第８色読取処理の一例である。処理ＲＤ３が、本発明の第９色読取処理の一例である。処理ＲＥ１が、本発明の第１０色読取処理の一例である。処理ＲＥ２が、本発明の第１１色読取処理の一例である。処理ＲＥ３が、本発明の第１２色読取処理の一例である。処理ＲＦ１が、本発明の第１３色読取処理の一例である。処理ＲＦ２が、本発明の第１４色読取処理の一例である。処理ＲＦ３が、本発明の第１５色読取処理の一例である。
【００８５】
［変形例］
本発明は、本実施形態に限定されることなく、その趣旨を逸脱しない範囲において種々の変形が可能である。以下にその変形の一例を述べる。
【００８６】
（１）本実施形態の画像読取装置１は、プリンタ部を備えた複合機に適用されても良い。また、本実施形態では、１つの読取部２４と、１つの白色基準板３４とが備えられる構成であるが、原稿ＧＳの両面を読み取るために、２つの読取部と、２つの白色基準板とが備えられる構成でも良い。
【００８７】
（２）本実施形態の画像読取装置１は、原稿ＧＳを搬送させて読み取る構成について説明したが、異なる構成でも良い。例えば、透明な原稿台に支持される原稿ＧＳを読取部が移動して読み取る構成でも良い。
【００８８】
（３）本実施形態において読取部２４は、ロッドレンズアレイ３２を用いた等倍光学系タイプの読取部として説明したが、縮小光学系タイプの読取部を用いても良い。この場合の縮小光学系タイプの読取部は、赤色、緑色、および青色の光を順次切り替えることでカラー読取動作を実行する。
【符号の説明】
【００８９】
１…画像読取装置、２…給紙トレイ、４…排紙トレイ、５…操作部、６…表示部、２４…読取部、２７…フロントセンサ、２９…リアセンサ、３０…光源、３１…受光部、３３…光電変換素子、４０…ＣＰＵ、４２…ＲＡＭ、４３…フラッシュＲＯＭ、４４…デバイス制御部、４５…ＡＦＥ、４６…画像処理部、４７…駆動回路
【図１】
2019129422.tif 000003
【図２】
2019129422.tif 000004
【図３】
2019129422.tif 000005
【図４】
2019129422.tif 000006
【図５】
2019129422.tif 000007
【図６】
2019129422.tif 000008
【図７】
2019129422.tif 000009
【図８】
2019129422.tif 000010
【図９】
2019129422.tif 000011
【図１０】
2019129422.tif 000012
【図１１】
2019129422.tif 000013
【図１２】
2019129422.tif 000014
【図１３】
2019129422.tif 000015